【手続補正書】
【提出日】平成17年12月6日(2005.12.6)
【手続補正１】
【補正対象書類名】明細書
【補正対象項目名】発明の名称
【補正方法】変更
【補正の内容】
【発明の名称】オーディオコンプレッサ用のピーク−ピーク検出回路および音量制御システム
【手続補正２】
【補正対象書類名】明細書
【補正対象項目名】特許請求の範囲
【補正方法】変更
【補正の内容】
【特許請求の範囲】
【請求項１】  左（Ｌ）および右（Ｒ）のステレオ・オーディオチャンネル信号を受信して、左および右のステレオ・オーディオチャンネル信号の和を表すＬ＋Ｒオーディオ信号を形成する手段と、
前記Ｌ＋Ｒオーディオ信号に応答して、このＬ＋Ｒオーディオ信号に対応する時間と振幅との関係を持つ可変ＤＣ信号を生成し、さらに該可変ＤＣ信号に関連する最小振幅を予め設定された最小値に制限するクランピング手段と、
前記可変ＤＣ信号に応答して前記Ｌ＋Ｒオーディオ信号のピーク−ピーク振幅の和に比例する振幅を持つＤＣ出力信号を発生する整流手段と、
からなる、テレビジョン受像機で使用するピーク−ピーク検出回路。
【請求項２】 前記クランピング手段は、前記Ｌ＋Ｒオーディオ信号を受信する入力端子と抵抗の第１の端子に結合された出力端子とを有する加算増幅器と、前記抵抗の第２の端子に結合された第１の端子とダイオードの陰極に結合された第２の端子とを有するキャパシタと、からなる請求項１記載のピーク−ピーク検出回路。
【請求項３】  さらに、前記出力ＤＣ信号に関連する最大振幅を、前記出力ＤＣ信号を受信するように動作するプロセッサの動作電圧よりも大きくない電圧に対応する予め設定された最大値に制限する第２のクランピング手段を含む、請求項１記載のピーク−ピーク検出回路。
【請求項４】  前記第２のクランピング手段は出力端子に一定の出力電圧を発生する増幅器と、陰極が前記増幅器の出力端子に結合された第３のダイオードとを含み、それによって前記第３のダイオードは、該第３のダイオードの陽極における電圧が前記増幅器の出力電圧を所定の大きさ超過すると前記増幅器を経て導通して、前記出力ＤＣ信号に関連する最大電圧振幅を制限する、請求項３記載のピーク−ピーク検出回路。
【請求項５】  前記所定の大きさは前記第３のダイオードの両端間の電圧降下分に相当する、請求項４記載のピーク−ピーク検出回路。
【請求項６】  Ｌ＋ＲのＡＣオーディオ信号を受信する入力端子と、前記入力Ｌ＋ＲのＡＣオーディオ信号に対応する時間対振幅関係を有する可変ＤＣ電圧を発生するためにキャパシタと直列の抵抗に従続的に結合された出力端子とを有する第１の増幅器と、
基準電位点に結合された陽極と前記キャパシタに結合された陰極とを有し、前記可変ＤＣ電圧に関連する負方向の振幅の振れを予め設定された最小値に制限するクランピング・ダイオードと、
前記クランピング・ダイオードの陰極に結合された陽極と第２のキャパシタに結合された陰極とを有し、前記可変ＤＣ電圧の振幅に応答して前記第２のキャパシタを充電して前記Ｌ＋Ｒオーディオ信号のピーク−ピーク振幅に比例するＤＣ出力信号を発生する整流ダイオードと、
からなるオーディオシステムで使用するピーク−ピーク検出回路。
【請求項７】  さらに、前記整流ダイオードの陽極における電圧値に応答して前記ＤＣ出力電圧を最大値にクランプする制限回路を含む、請求項６記載のピーク−ピーク検出回路。
【請求項８】  前記最大電圧値は、前記出力ＤＣ信号を受信するように動作するプロセッサの動作電圧よりも大きくない電圧に相当する、請求項７記載のピーク−ピーク検出回路。
【請求項９】  前記制限回路は第２のクランピング・ダイオードに結合された第２の増幅器を含む、請求項７記載のピーク−ピーク検出回路。
【請求項１０】  前記第２の増幅器は出力端子に一定の電圧を発生するように動作し、前記第２のクランピング・ダイオードは前記第２の増幅器の出力端子に結合された陰極と前記整流ダイオードの陰極に結合された陽極とを有し、それによって前記第２のクランピング・ダイオードは前記第２の増幅器を経て導通して、前記整流ダイオードの陰極の電圧が前記増幅器の出力電圧を前記第２のクランピング・ダイオードの両端間の電圧降下分超過したときに、前記出力ＤＣ信号に関連する最大振幅を制限する、請求項９記載のピーク−ピーク検出回路。
【請求項１１】  前記第２のキャパシタに関連する充電時間は、前記抵抗と前記第２のキャパシタに関連するパラメータの値に従って決定される、請求項６記載のピーク−ピーク検出回路。
【請求項１２】  Ｌ＋Ｒステレオ・オーディオ信号を受信して、反転されたＬ＋Ｒステレオ・オーディオ信号に相当する信号を発生する手段と、前記Ｌ＋Ｒオーディオ信号に応答して、該Ｌ＋Ｒオーディオ信号に対応する時間と振幅との関係を有する可変ＤＣ信号を発生し、該可変ＤＣ信号の負方向の振れを最小電圧値に制限するクランピング手段と、前記可変ＤＣ信号に応答して前記Ｌ＋Ｒオーディオ信号のピーク−ピーク振幅の和に比例した振幅をもったＤＣ出力信号を発生する整流手段と、を含むピーク−ピーク検出回路と、
前記出力ＤＣ信号に応答して、この出力ＤＣ信号に関連する振幅を閾値と比較して、差の値を決定し、この差に従って前記Ｌ＋Ｒステレオ・オーディオに関連する振幅を調整するプロセッサと、
からなる、Ｌ＋Ｒステレオ・オーディオのレベルを制御する音量（ボリューム）制御システム。
【請求項１３】  前記ピーク−ピーク検出回路は、さらに前記出力ＤＣ信号の正方向の振れを最大電圧値に制限するリミタ回路を含む、請求項１２記載の音量（ボリューム）制御システム。
【請求項１４】  前記プロセッサは、予め設定された時間期間で前記出力ＤＣ信号をサンプリングするためのアナログ−ディジタル変換器を具えたマイクロコンピュータと、差の値に従って前記Ｌ＋Ｒステレオ・オーディオ信号に関連する振幅を調整する圧縮器（コンプレッサ）とを含む、請求項１３記載の音量（ボリューム）制御システム。
【請求項１５】  前記最大電圧値は、前記出力ＤＣ信号を受信するように動作する前記アナログ−ディジタル変換器の動作電圧よりも大きくない電圧に相当する、請求項１４記載の音量（ボリューム）制御システム。
【手続補正３】
【補正対象書類名】明細書
【補正対象項目名】０００５
【補正方法】変更
【補正の内容】
【０００５】
ピーク信号検出器はオーディオ信号に関連するピーク振幅を検出するために使用され、また大振幅の過渡信号を表わす大音響を制限するように音量（ボリューム）設定を制御するために使用される検出器電圧を供給するために使用される。しかしながら、オーディオ信号は大抵の場合非対称である。従って、オーディオ（ＡＣ）信号の一部の部分についてのみ試験および検出を行うと、非常に小さい（または非常に大きい）ピークが検出されることになり、検出すべき過渡信号振幅を正確に表わすものとならない。このことは、ＡＣオーディオ信号を検出するために正ピーク検出器が使用されておれば、正の過渡信号のみの検出が行われることになる。負方向の振れの過渡信号に対しては、正ピーク検出器はこれらの負の過渡信号を検出することは不可能であるから、大音響信号が受信されてテレビジョン受像機ユニットで拡大されることが認められ、そのことにより、リスナー（視聴者）は不所望に過大な音響のオーディオ信号を感知することになる。正方向および負方向の両方向の過渡ＡＣ信号を検出するために両極性の信号振幅を検出する精密整流器および増幅器を使用することもできる。しかしながら、このような整流器は多少複雑になる傾向があり、その機能を実行させるために比較的多数の電子素子を必要とする。これは、今日の過当競争の市場でテレビジョン受像機のような大衆消費者向け電子装置に組み込まれる回路として好ましくない性質である。このような理由から、テレビジョンの製造業者は、広いダイナミック・レンジのオーディオを制限するダイナミック音量（ボリューム）制御処理を行うために、正負両方向のオーディオ信号の振幅を正確に検出するための、安価で信頼性の高い代替装置を探し求めている。
【手続補正４】
【補正対象書類名】明細書
【補正対象項目名】０００６
【補正方法】変更
【補正の内容】
【０００６】
本発明によれば、オーディオシステムで使用するためのピーク−ピーク検出回路は、Ｌ＋Ｒの（ＡＣ）オーディオ信号を受信する入力端子と、前記入力Ｌ＋ＲのＡＣオーディオ信号に対応する時間対振幅関係を有する可変ＤＣ電圧を発生するためにキャパシタと直列の抵抗に従続的に結合された出力端子とを具えた第１の増幅器を含んでいる。基準電位点に結合された陽極と前記キャパシタに結合された陰極とを有するクランピング・ダイオードは、前記可変ＤＣ電圧に関連する負方向の振幅の振れを予め設定された最小値に制限するように動作する。前記クランピング・ダイオードの陰極に結合された陽極と第２のキャパシタに結合された陰極とを有し、前記可変ＤＣ電圧の振幅に応答して前記第２のキャパシタを充電する整流ダイオードは、前記Ｌ＋Ｒオーディオ信号のピーク−ピーク振幅に比例するＤＣ出力信号を発生するように動作する。検出回路は、さらに、前記整流ダイオードの陰極における電圧値に応答して前記ＤＣ出力電圧を最大値にクランプするクランピング回路を含んでいる。
【手続補正５】
【補正対象書類名】明細書
【補正対象項目名】０００７
【補正方法】変更
【補正の内容】
【０００７】
発明の実施の形態
図１は、本発明の譲り受け人であるトムソン  コンシユーマ  エレクトロニクス  インコーポレイテツド（Ｔｈｏｍｓｏｎ  Ｃｏｎｓｕｍｅｒ  Ｅｌｅｃｔｒｏｎｉｃｓ  Ｉｎｃ．）製のＭＭ１０１オーディオシステムのようなテレビジョン受像機のオーディオ圧縮システム用の本発明による検出回路１０を示す。全図面を通じて同じ参照番号は同じ部品を表すために使用されていることに注意する必要がある。また、図１は本発明の検出回路の実際の制作例に対応する抵抗性および容量性の各回路素子に関連する電源電圧、素子の値を示しているが、これらの値は単なる一例であって、特定の応用（適用）例に関連する要求に従って素子の値、電源電圧を調整し得ることは当業者には明らかなことである。
【手続補正６】
【補正対象書類名】明細書
【補正対象項目名】０００８
【補正方法】変更
【補正の内容】
【０００８】
図１に示すように、検出回路１０は、プロセッサ・モジュール２０からの多チャンネル音声信号出力であるＬ＋Ｒオーディオ信号成分（すなわち、ＡＣ信号）に応答して出力端子９０にＤＣ出力信号１００を生成するピーク−ピーク検出器である。ＤＣ出力信号１００の振幅は、Ｌチャンネル入力オーディオ信号とＲチャンネル入力オーディオ信号のピーク−ピーク振幅の和に比例している。大抵のオーディオ波形の正部分と負部分は非対称であるから、ピーク−ピーク検出回路は入力Ｌ＋ＲのＡＣオーディオ信号の上記正部分と負部分の両方を検出するように動作する。従って、検出回路１０は、有効で且つ低コストの検出器を提供するように最少数の電子素子を使用して正方向と負方向の両方の過渡振幅を検出するように動作することができる。検出器の出力は、オーディオシステムの音量（ボリューム）制御の設定を制御するために、このオーディオシステムのマイクロプロセッサによってサンプリングされる。
【手続補正７】
【補正対象書類名】明細書
【補正対象項目名】００１０
【補正方法】変更
【補正の内容】
【００１０】
（Ｌ＋Ｒ）信号は抵抗Ｒ３とキャパシタＣ１を通過し、そこでダイオードＣＲ１によってクランプされる。Ｒ３とＣ１のＲＣ組合わせおよびクランピング・ダイオードＣＲ１からなるクランピング回路は、強制的に（Ｌ＋Ｒ）信号の負部分が常に基準電位（すなわち、接地電位）よりも１ダイオード電圧降下分低い電圧で動作するようにする。図示のように、接続点（ノード）８０における（Ｌ＋Ｒ）信号は、オシロスコープ上で観察されるように、ここではＤＣオフセットされている点を除いて元のオーディオ信号と実質的に同じ時間対振幅関係を持った可変ＤＣ信号である。接続点８０における信号は、−０．６ＶＤＣ（１ダイオード電圧降下分に相当する）の最小電圧と、ＬとＲの信号のピーク−ピーク振幅から上記ダイオードの電圧降下を差し引いた最大電圧を持っている。これにより、可変ＤＣ電圧信号４０に関連する負方向の振幅の振れを予め設定された最小値である−０．６Ｖに制限する。
【手続補正８】
【補正対象書類名】明細書
【補正対象項目名】００１１
【補正方法】変更
【補正の内容】
【００１１】
接続点８０におけるダイオードＣＲ１のクランピング回路構成と、並列のキャパシタＣ２と抵抗Ｒ４とを含む時定数回路３０を構成する接続点９０におけるＤＣ検出器の出力との間にダイオードＣＲ２が結合されている。接続点８０の電圧が接続点９０の電圧よりも１ダイオード電圧降下分超過すると、接続点８０における可変ＤＣ信号４０はダイオードＣＲ２を通過してキャパシタＣ２を充電する。キャパシタＣ２の充電に関する時定数は主として抵抗Ｒ３の値によって決定される。入力オーディオ信号Ｌ＋Ｒの振幅が０になると、キャパシタＣ２は時定数Ｒ４×Ｃ２に従って抵抗Ｒ４を経て放電する。Ｌ＋Ｒ信号の正または負の過渡変化に急速応答するためには、キャパシタＣ２の充電時間はこのキャパシタＣ２の放電時間よりも相当に小さくなければならない。従って、抵抗Ｒ４が抵抗Ｒ３の対応する値よりも相当に大きくなるように、上記抵抗Ｒ３およびＲ４に関連する各値が選択される。このような抵抗の値により、検出器に対して代表的な多くの検出器の“高速アタック／低速ディケイ（高速開始／低速減衰）”特性を与えることができる。特定のシステムの要求に従って幾つかの抵抗／キャパシタの組合わせを使用することができるが、好ましい実施例では抵抗値の比（Ｒ４／Ｒ３）は２０：１であることが望ましい。キャパシタＣ２の放電時間は、通常は抵抗Ｒ４に比して非常に高いマイクロプロセッサ１１０の入力インピーダンスによっても設定されることに注意する必要がある。従って、抵抗Ｒ４は主たる放電インピーダンスを呈することになる。
【手続補正９】
【補正対象書類名】明細書
【補正対象項目名】００１２
【補正方法】変更
【補正の内容】
【００１２】
図１と図３を参照すると、制限された高速アタック／低速ディケイＤＣ検出器の電圧１００はオーディオシステムのマイクロプロセッサ１１０のアナログ−ディジタル（Ａ／Ｄ）変換器の入力に供給される。利得１の演算増幅器Ｕ１−ＢとダイオードＣＲ３を含むクランピング回路５０（図１）はＤＣ出力信号１００の最大振幅を予め設定された上限に制限またはクランプするように動作する。増幅器Ｕ１−Ｂの端子７の電圧出力はその反転入力（ピン５）の電圧によって設定される。この電圧は、２個の抵抗Ｒ７とＲ８の両端間のＤＣ電源電圧ＶＰを、上記抵抗Ｒ７とＲ８からなる分圧器による分圧により発生される。抵抗Ｒ７と並列関係で動作するキャパシタＣ３はフィルタとして作用する。従って、増幅器Ｕ１−Ｂのピン７における出力電圧はピン５における入力電圧によって固定され、接続点２５に一定の電圧を発生する。
【手続補正１０】
【補正対象書類名】明細書
【補正対象項目名】００１３
【補正方法】変更
【補正の内容】
【００１３】
クランピング・ダイオードＣＲ３の陰極は出力のピン７に接続されており、その陽極は検出器の出力端子９０においてＣＲ２の陰極に接続されている。この構成は、検出器の出力電圧を、ピン７（すなわち接続点２５）における電圧にダイオードＣＲ３の両端間のダイオード電圧降下分を加えた電圧に相当する最大値にクランプまたは制限する。すなわち、接続点９０における検出器の出力電圧が、増幅器Ｕ１−Ｂの出力電圧に１ダイオード電圧降下分を加えた電圧に達すると、ダイオードＣＲ３が導通する。増幅器Ｕ１−Ｂは低インピーダンス装置であるから、検出器の出力は有効に制限される。好ましい実施例では、増幅器Ｕ１−Ｂとそれに関連する回路とからなるクランピング回路によって検出器の出力電圧の振幅は約５Ｖに制限される。この実施例では、増幅器Ｕ１−Ｂの出力は約４．３ＶＤＣに制限されているので、接続点９０における検出器の電圧が４．３ＶＤＣに１ダイオード電圧降下分を加えた振幅に達すると、ダイオードＣＲ３は導通する。このようにして、クランピング回路５０は５ＶのＤＣ電源電圧で動作するマイクロプロセッサ１１０内のＡ／Ｄ変換器を保護するように動作することができる。Ａ／Ｄ変換器が５Ｖの動作電圧を超過する入力信号を受けることは望ましくないので、クランピング回路は、検出器の出力電圧を出力ＤＣ信号１００を受けるように動作するプロセッサの動作電圧よりも大きくない電圧に制限するように作用する。
【手続補正１１】
【補正対象書類名】明細書
【補正対象項目名】００１４
【補正方法】変更
【補正の内容】
【００１４】
図３を参照すると、Ａ／Ｄ変換器は、５〜１０ミリ秒の範囲の予め設定された時間期間内でＤＣ検出器の電圧信号１００をサンプリングする。次に、このマイクロプロセッサはサンプリングされた入力を使用して、前記サンプリングされた検出器の電圧振幅に基づいて処理の決定を行なう。プロセッサはこの決定を使ってＭＭ１１０オーディオシステムのようなオーディオシステムの、マイクロコンピュータで制御される音量（ボリューム）制御部の音量（ボリューム）設定を制御する。すなわち、プロセッサはサンプリングされたＤＣ信号電圧１００の絶対値振幅を予め設定された閾値と比較して、その相対的な差に比例して音量（ボリューム）を減少または制御する。
【手続補正１２】
【補正対象書類名】明細書
【補正対象項目名】００１５
【補正方法】変更
【補正の内容】
【００１５】
前述のように、大抵のオーディオ波形の振幅は非対称であるから、ピーク−ピーク検出器はそのＡＣオーディオ信号の正部分、負部分の両方を検出するために使用される。図１の検出回路に注目すると、増幅器Ｕ１−Ａのピン１から正方向の過渡変化が出力されると、この正方向の過渡変化はダイオードＣＲ２を急速に順バイアスする。同様に、正方向のパルスが高い振幅を持っていると、キャパシタＣ２は急速に充電され、これによって比較的短期間で正方向の過渡パルスの検出が行なわれる。キャパシタＣ２が完全に放電されているときに、増幅器Ｕ１−Ａのピン１に負方向の過渡パルスが出力されると、接続点８０における電圧は接続点９０における電圧を超過することはないので、ダイオードＣＲ２は導通しない。従って、キャパシタＣ２を充電することにより、検出器は負方向の過渡変化に即時に応答しない。代わりに、ダイオードＣＲ１が導通し、キャパシタＣ１を充電し始める。従って、負方向の過渡的変化の検出には、検出器がその出力にＬ＋Ｒ信号のピーク−ピーク振幅に比例したＤＣ信号の振幅を発生することができるように、キャパシタＣ１を充電するのに十分な時間期間のＬ＋Ｒの波形の信号を必要とする。
【手続補正１３】
【補正対象書類名】明細書
【補正対象項目名】００１６
【補正方法】変更
【補正の内容】
【００１６】
図２のＡ、図２のＢおよび図２のＣは上述の検出器の処理を表わす波形を概略的に示した図である。図１と共に図２のＡを参照すると、波形１は２．５ＶのＤＣオフセットを含む４．５Ｖのピーク−ピーク信号を表わしている。波形２は０．２ＶのＤＣオフセットを含む２．４Ｖのピーク−ピーク信号である。これらの信号は、それぞれ右と左（ＲとＬ）のステレオ・オーディオチャンネルの信号を表わす。接続点８０（図１）の可変ＤＣ出力信号は波形３として示されている各波形で表わされる。これは波形１と２のピーク−ピーク電圧の和である。図２のＡの波形３は、制限回路５０が消勢されているときの接続点８０におけるＤＣ可変電圧を表わす。従って、和の正ピーク電圧は＋６．３Ｖであり、負ピーク電圧は−０．６Ｖに低下する。図２のＢは、図１の＋５Ｖの制限回路５０が付勢されたときの図２のＡの波形と同じ波形の組を示している。この場合、加算されたＬ＋Ｒ信号の波形３のピークは、５．０Ｖのピークでクリップされるものとして示されており、５．６Ｖのピーク−ピーク電圧を持っている。ＣＲ１のこのクランピング回路は図２のＡにも示すように、−０．６Ｖの最小電圧レベルを持っている。
【手続補正１４】
【補正対象書類名】明細書
【補正対象項目名】００１７
【補正方法】変更
【補正の内容】
【００１７】
図２のＣは、左および右のステレオ・オーディオチャンネル信号を表わす第２の組の入力波形を示し、この場合の各信号はＤＣオフセットを含まず、同じ２Ｖのピーク−ピークを持った信号である。従って、Ｌ＋Ｒの加算された信号波形３は４Ｖのピーク−ピーク信号であり、＋３．４Ｖと−０．６Ｖのピーク値を持っている。図２のＡ、図２のＢおよび図２のＣには示されていないが、接続点９０におけるＤＣ振幅値は、加算された波形３からダイオードＣＲ２の両端間の０．６Ｖの電圧降下分を差し引いた正ピーク値で表されることを確認することができる。
【手続補正１５】
【補正対象書類名】明細書
【補正対象項目名】００１８
【補正方法】変更
【補正の内容】
【００１８】
図３に示すようなテレビジョン受像機のようなオーディオ装置の音量（ボリューム）制御システム内の動作について注目すると、ピーク−ピーク検出器は出力端子にＤＣ電圧信号を出力し、この出力端子は前記ＤＣ出力信号を一連のディジタルサンプルに変換するＡ／Ｄ変換器を有するマイクロコントローラのようなプロセッサに結合可能である。プロセッサはこれらのディジタルサンプルに応答して、爆発、大砲の発射、銃の発射等の大音響のＬ＋Ｒ信号に関連する大振幅の過渡信号を取り除くように音量（ボリューム）を制御するために動作する。この信号の圧縮はディジタル的に制御される音量（ボリューム）制御装置のソフトウエア制御により行なわれる。
【手続補正１６】
【補正対象書類名】明細書
【補正対象項目名】００１９
【補正方法】変更
【補正の内容】
【００１９】
ここで説明した検出回路は、表示装置付きで使用されるテレビジョン受像機（通常テレビジョンセットとして知られている）やＶＣＲのように表示装置を持たないテレビジョン受像機を含む各種のオーディオシステムで使用することができることに注目する必要がある。また、幾つかのＦＭラジオはテレビジョンの音声信号を受信し、これを再生する機能を持っていることに注目する必要がある。このことから本発明で実施されたピーク−ピーク検出器は、左および右のステレオ・オーディオチャンネル信号のピーク−ピーク振幅に応答して音量（ボリューム）を制御するためのプロセッサへの入力として、上記のようなＦＭラジオを使用することもできる。
【手続補正１７】
【補正対象書類名】明細書
【補正対象項目名】図面の簡単な説明
【補正方法】変更
【補正の内容】
【図面の簡単な説明】
【図１】
本発明によるオーディオシステム用のピーク−ピーク検出器の概略回路図を示す図である。
【図２】
図２のＡは、図１の回路の動作により得られる各種の波形を示し、入力ＬおよびＲオーディオ信号の振幅、加算されたＬおよびＲオーディオ信号に関連するＤＣ出力電圧を表わす図である。
図２のＢは、図１の回路の動作により得られる各種の波形を示し、入力ＬおよびＲオーディオ信号の振幅、加算されたＬおよびＲオーディオ信号に関連するＤＣ出力電圧を表わす図である。
図２のＣは、図１の回路の動作により得られる各種の波形を示し、入力ＬおよびＲオーディオ信号の振幅、加算されたＬおよびＲオーディオ信号に関連するＤＣ出力電圧を表わす図である。
【図３】
本発明による図１のピーク−ピーク検出回路を採用した音量（ボリューム）制御信号システムをブロックの形で示した図である。
【符号の説明】
１  出力端子（ピン１）
２  入力端子（ピン２）
３  入力端子（ピン３）
５  入力端子（ピン５）
７  出力端子（ピン７）
１０  検出回路
２０  プロセッサ・モジュール
２５  接続点
３０  時定数回路（放電回路）
４０  ＤＣ信号
５０  クランピング回路
８０  接続点
９０  接続点（検出器の出力端子）
１００  出力信号
１１０  マイクロプロセッサ
Ｕ１−Ａ  演算増幅器
Ｕ１−Ｂ  演算増幅器
Ｒ２  抵抗
Ｒ３  抵抗
Ｒ４  抵抗
Ｒ５  抵抗
Ｒ６  抵抗
Ｒ７  抵抗
Ｒ８  抵抗
Ｃ１  キャパシタ
Ｃ２  キャパシタ
Ｃ３  キャパシタ
ＣＲ１  クランピング・ダイオード
ＣＲ２  整流ダイオード
ＣＲ３  クランピング・ダイオード